【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
コンピュータシステムであって、
所定間隔でタイマ信号を出力するタイマと、
前記タイマによって出力された前記タイマ信号に基づき、交互に、バスへクロックを、供給する又は供給しないクロック生成回路と、
前記バスを介してクロック信号を受信するコントローラであって、前記クロック生成回路からの前記クロック信号が停止されている間は外部デバイスからのデータを受信し、その後、前記クロック生成回路からの前記クロック信号が停止されている間に前記外部デバイスから受信した前記データに関連する所定信号を前記バスへ出力する前記コントローラと
を備えることを特徴とするコンピュータシステム。
【請求項２】
前記クロック生成回路は、前記タイマ信号の数に基づいて、前記クロック信号を供給する又は供給しないことを特徴とする請求項１に記載のコンピュータシステム。
【請求項３】
前記クロック生成回路からの前記クロック信号が停止される場合は、前記タイマ信号の数と比較される値として第１値が設定され、
前記クロック生成回路からの前記クロック信号が供給される場合は、前記タイマ信号の数と比較される前記値として前記第１値とは異なる第２値が設定されることを特徴とする請求項２に記載のコンピュータシステム。
【請求項４】
前記第１値は、前記第２値より大きいことを特徴とする請求項３に記載のコンピュータシステム。
【請求項５】
前記コントローラから前記バスへの前記所定信号の出力を禁止する、前記コントローラの割り込みマスクを設定する制御手段をさらに備え、
前記制御手段は、前記割り込みマスクを設定した後に、前記クロック生成回路からの前記クロック信号を停止させる場合に、前記クロック信号を供給しないように前記クロック生成回路を設定することを特徴とする請求項１乃至４の何れか１項に記載のコンピュータシステム。
【請求項６】
前記制御手段は、前記クロック生成回路からの前記クロック信号を供給させる場合、
前記クロック信号を供給するように前記クロック生成回路を設定し、その後に、前記コントローラの前記設定された割り込みマスクを解除することを特徴とする請求項５に記載のコンピュータシステム。
【請求項７】
前記コントローラには、さらに、他の外部デバイスが接続されており、
前記他の外部デバイスは、前記コントローラを経由して割り込み信号を前記バスに入力し、
前記制御手段は、前記クロック生成回路からの前記クロック信号を停止させる又は供給させる場合に、前記他の外部デバイスの割り込みマスクを設定又は解除することを特徴とする請求項６に記載のコンピュータシステム。
【請求項８】
前記データは第１データであり、前記外部デバイスは第１の外部デバイスであり、前記所定信号は第１の所定信号であり、
前記コントローラは、前記クロック生成回路からの前記クロック信号が停止されている間は第２の外部デバイスから第２データを受信し、その後、前記クロック信号の供給の開始に基づいて、前記第２データに関連する第２の所定信号を前記バスへ出力し、前記第２データは前記第１データ又は前記第１データ以外のデータであり、前記第２の外部デバイスは前記第１の外部デバイス又は前記第１の外部デバイス以外のデバイスであり、前記第２の所定信号は前記第１の所定信号又は前記第１の所定信号以外の信号であることを特徴とする請求項１乃至７の何れか１項に記載のコンピュータシステム。
【請求項９】
前記データは第１データであり、前記外部デバイスは第１の外部デバイスであり、前記所定信号は第１の所定信号であり、
前記コントローラは、前記クロック生成回路からの前記クロック信号が停止されている間は第２の外部デバイスから第２データを受信し、その後、前記第２データの受信に基づいて、前記第２データに関連する第２の所定信号を前記バスへ出力し、前記第２データは前記第１データ又は前記第１データ以外のデータであり、前記第２の外部デバイスは前記第１の外部デバイス又は前記第１の外部デバイス以外のデバイスであり、前記第２の所定信号は前記第１の所定信号又は前記第１の所定信号以外の信号であることを特徴とする請求項１乃至８の何れか１項に記載のコンピュータシステム。
【請求項１０】
前記所定信号は割り込み信号であることを特徴とする請求項１乃至９の何れか１項に記載のコンピュータシステム。
【請求項１１】
前記外部デバイスはセンサであることを特徴とする請求項１乃至１０の何れか１項に記載のコンピュータシステム。
【請求項１２】
前記バスはデータを送信するためのデータラインと、アドレスを送信するためのアドレスラインと、割り込みを送信するための割り込みラインとを備えることを特徴とする請求項１乃至１１の何れか１項に記載のコンピュータシステム。
【請求項１３】
所定間隔でタイマ信号を出力するタイマを有するコンピュータシステムの制御方法であって、
前記タイマによって出力された前記タイマ信号に基づき、交互に、バスへクロックを、供給する又は供給しない工程と、
前記バスを介してクロック信号を受信するコントローラであって、前記クロック信号が停止されている間は外部デバイスからのデータを受信し、その後、前記クロック信号が停止されている間に前記外部デバイスから受信した前記データに関連する所定信号を前記バスへ出力する工程と
を含むことを特徴とするコンピュータシステムの制御方法。
【請求項１４】
所定間隔でタイマ信号を出力するタイマを有するコンピュータシステムの制御方法における各工程をコンピュータに実行させるためのプログラムであって、前記制御方法は、
前記タイマによって出力された前記タイマ信号に基づき、交互に、バスへクロックを、供給する又は供給しない工程と、
前記バスを介してクロック信号を受信するコントローラであって、前記クロック信号が停止されている間は外部デバイスからのデータを受信し、その後、前記クロック信号が停止されている間に前記外部デバイスから受信した前記データに関連する所定信号を前記バスへ出力する工程と
を含むことを特徴とするプログラム。
【請求項１５】
制御装置と、該制御装置にバスを介して接続された周辺デバイスと、を含むコンピュータシステムであって、
前記制御装置は、
所定時間を繰り返し計時するタイマと、
前記周辺デバイスに対して、クロック信号を供給するクロック生成回路と、
前記タイマによる前記所定時間の計時に基づき、前記クロック生成回路の駆動の停止及び再開を交互に行う制御手段と
を備え、
前記周辺デバイスは、
前記周辺デバイスから前記制御装置への前記バスを介した割り込み信号の出力を制限する割り込みマスクを含み、
前記制御手段は、
前記クロック生成回路の駆動を停止させる場合に、前記割り込みマスクを設定し、
前記クロック生成回路の駆動を再開させる場合に、前記割り込みマスクを解除することを特徴とするコンピュータシステム。
【手続補正２】
【補正対象書類名】明細書
【補正対象項目名】発明の名称
【補正方法】変更
【補正の内容】
【発明の名称】コンピュータシステム、その制御方法、及びプログラム
【手続補正３】
【補正対象書類名】明細書
【補正対象項目名】０００１
【補正方法】変更
【補正の内容】
【０００１】
本発明は、コンピュータシステム、その制御方法、及びプログラムに関する。
【手続補正４】
【補正対象書類名】明細書
【補正対象項目名】００１０
【補正方法】変更
【補正の内容】
【００１０】
本発明は、コンピュータシステムであって、所定間隔でタイマ信号を出力するタイマと、前記タイマによって出力された前記タイマ信号に基づき、交互に、バスへクロックを、供給する又は供給しないクロック生成回路と、前記バスを介して前記クロック信号を受信するコントローラであって、前記クロック生成回路からの前記クロック信号が停止されている間は外部デバイスからのデータを受信し、その後、前記クロック生成回路からの前記クロック信号が停止されている間に前記外部デバイスから受信した前記データに関連する所定信号を前記バスへ出力する前記コントローラとを備えることを特徴とする。